(57)【要約】      （修正有）【課題】タッチパネルの故障時でも正常時と同等の操作が行える表示装置を提供する。【解決手段】表示装置１００は、表示部１０５と、タッチパネル部１０４とを有する。制御部１０２は、タッチパネル部１０４の故障時に、タッチパネル部１０４の故障領域を検出し、表示部１０５の表示画面上に、使用可能な正常領域と区分けしてタッチパネル部１０４の故障領域の大きさを表示する。そして、制御部１０２は、検出したタッチパネル部１０４の故障領域の縦横比に基づき、正常領域を縦表示として使用するか横表示として使用するかを判断する。【選択図】図１
2017162418.tif 000002
【特許請求の範囲】
【請求項１】
表示部と、タッチパネルとを有する表示装置において、
前記タッチパネルの故障時に、当該タッチパネルの故障領域を検出し、前記表示部の表示画面上に、使用可能な正常領域と区分けして前記タッチパネルの故障領域の大きさを表示する制御部を有することを特徴とする表示装置。
【請求項２】
前記制御部は、検出した前記タッチパネルの故障領域の縦横比に基づき、前記正常領域を縦表示として使用するか横表示として使用するかを判断することを特徴とする請求項１に記載の表示装置。
【請求項３】
前記制御部は、前記タッチパネルが有する縦横比と、前記タッチパネルの故障領域の縦横比に基づき、前記縦表示または前記横表示するために前記表示部の表示画面を回転させるか否かを判断することを特徴とする請求項２に記載の表示装置。
【請求項４】
前記表示装置の現在の回転位置を検出するセンサを備え、
前記制御部は、前記センサが検出した現在の回転位置と、前記タッチパネルが有する縦横比と、前記タッチパネルの故障領域の縦横比に基づき、前記縦表示または前記横表示するために前記表示部の表示画面を回転させるか否かを判断することを特徴とする請求項２に記載の表示装置。
【請求項５】
前記表示部に重ねて透明な前記タッチパネルを設けたことを特徴とする請求項１〜４のいずれか一つに記載の表示装置。
【発明の詳細な説明】
【技術分野】
【０００１】
本発明は、タッチパネル等の入力操作と画面表示を行う表示装置に関する。
【背景技術】
【０００２】
ユーザのタッチ操作を行うタッチパネルと画面表示を行うディスプレイとが例えば重合してなるタッチパネルは、近年、スマートフォンやタブレット、携帯電話機などの携帯端末装置や各種表示装置に適用されている。
【０００３】
タッチパネルの故障状態として、ディスプレイでの画面表示自体は行えるが、タッチキーでのタッチ操作が一部の領域で操作不能となる場合がある。このような故障時、タッチパネルを構成するハードウェアからソフトウェアに対する異常が通知されず、操作不能部分のタッチ操作が検知されない状態となる。
【０００４】
例えば、携帯端末装置では、タッチパネルでの操作が前提となっており、タッチパネルが故障した場合にはユーザが意図した操作ができなくなってしまう。故障した領域に各種操作用のスイッチ等が配置（表示）されている場合、この各種操作、例えば、携帯端末装置内に保存されたアプリケーションやコンテンツのデータの取り出し操作や、他の携帯端末装置への引き継ぎ操作が困難となる。
【０００５】
タッチパネルが使用できない場合の対処としては、Ｂｌｕｅｔｏｏｔｈ（登録商標）マウス、ＵＳＢマウスを使用して操作を行う方法があるが、マウスを使用する方法では、Ｂｌｕｅｔｏｏｔｈマウスの場合は事前のペアリングとＢｌｕｅｔｏｏｔｈ機能をＯＮにしておく必要がある。また、ＵＳＢマウスの場合は端末がＵＳＢ−ＯＴＧ（Ｏｎ−Ｔｈｅ−Ｇｏ）に対応している必要があり、さらにＵＳＢ−ＯＴＧケーブルを用意する必要があった。
【０００６】
また、タッチパネル上の所定の開始位置から終了位置まで指を移動させたとき終了位置に達する以前に指が離れたと判断されたとき、その座標を特定し、タッチパネルの断線等の不具合があることを表示する技術がある（例えば、下記特許文献１，２参照。）。また、タッチパネル上に故障箇所があるとき、故障箇所以外の領域を代替画面として使用する技術がある（例えば、下記特許文献３参照。）。
【先行技術文献】
【特許文献】
【０００７】
【特許文献１】特開２０１４−９２８１１号公報
【特許文献２】特開２０１４−２１５８４３号公報
【特許文献３】特開２０１３−２２８９７２号公報
【発明の概要】
【発明が解決しようとする課題】
【０００８】
しかし、上記従来の技術では、タッチパネルの故障時には、故障以外の残った領域を使用するため、本来の正常時に有していたタッチパネル（ディスプレイ）の表示レイアウトの縦横比を有した表示が行えない。この場合、正常時の表示レイアウトで表示できないため、例えば、パスワード入力部分が画面表示されずに携帯端末装置内部のユーザデータのバックアップを行えないこと等の問題も生じることがある。
【０００９】
一つの側面では、本発明は、タッチパネルの故障時でも正常時と同等の操作が行えることを目的とする。
【課題を解決するための手段】
【００１０】
一つの案では、表示装置は、表示部と、タッチパネルとを有する表示装置において、前記タッチパネルの故障時に、当該タッチパネルの故障領域を検出し、前記表示部の表示画面上に、使用可能な正常領域と区分けして前記タッチパネルの故障領域の大きさを表示する制御部を有することを要件とする。
【発明の効果】
【００１１】
一つの実施形態によれば、タッチパネルの故障時でも正常時と同等の操作が行える効果を奏する。
【図面の簡単な説明】
【００１２】
【図１】図１は、実施の形態１にかかる表示装置のハードウェア構成例を示す図である。
【図２】図２は、実施の形態１にかかる表示装置のタッチパネル部の故障の例を示す図である。
【図３】図３は、実施の形態１にかかる表示装置のタッチパネル故障検出処理を示すフローチャートである。
【図４】図４は、実施の形態１にかかる表示装置のタッチパネル故障検出時の画面表示例を示す図である。
【図５】図５は、実施の形態１にかかる表示装置のタッチパネル故障検出時の画面表示の処理内容を示すフローチャートである。
【図６】図６は、実施の形態２にかかる表示装置のタッチパネル部故障時のレイアウトを維持した画面表示例を示す図である。（その１）
【図７】図７は、実施の形態２にかかる表示装置のタッチパネル部故障時のレイアウトを維持した画面表示例を示す図である。（その２）
【図８】図８は、実施の形態２にかかる表示装置のタッチパネル故障検出時のレイアウト維持した表示制御の処理内容を示すフローチャートである。
【図９】図９は、実施の形態３にかかる表示装置のタッチパネル正常時の表示状態を示す図である。
【図１０】図１０は、実施の形態３にかかる表示装置のタッチパネル部故障時のレイアウトを維持した画面表示例を示す図である。（その１）
【図１１】図１１は、実施の形態３にかかる表示装置のタッチパネル部故障時のレイアウトを維持した画面表示例を示す図である。（その２）
【図１２】図１２は、実施の形態３にかかる表示装置のタッチパネル故障検出時のレイアウト維持した表示制御の処理内容を示すフローチャートである。
【発明を実施するための形態】
【００１３】
（実施の形態１）
図１は、実施の形態１にかかる表示装置のハードウェア構成例を示す図である。図１に示す表示装置１００は、携帯電話網を介して無線通信を行うスマートフォンなどの携帯電話機に適用した例を示す。
【００１４】
表示装置１００は、無線通信部１０１と、制御部１０２と、情報記憶部１０３と、タッチパネル部１０４と、表示部１０５と、センサ部１０６と、を含む。
【００１５】
無線通信部１０１は、アンテナを介して基地局装置等との間で通話やデータ送受信の無線通信を行う。制御部１０２は、表示装置１００全体の制御を司る。この制御部１０２には、情報記憶部１０３、タッチパネル部１０４、表示部１０５、センサ部１０６が接続される。この制御部１０２は、ＣＰＵ（プロセッサ）１０２ａが情報記憶部１０３のＲＯＭ１０３ｂに記録されたプログラムを読み出し実行し、この際の作業領域としてＲＡＭ１０３ａを用いることで、制御部１０２の機能を得ることができる。このプログラムとしては、後述するタッチパネル制御プログラムを含む。
【００１６】
情報記憶部１０３には、表示装置１００の各種データ（各種アプリケーションのプログラムやユーザデータ）を記憶保持する。情報記憶部１０３は、ＲＡＭ１０３ａ、ＲＯＭ１０３ｂのほかにＦｌａｓｈＲＯＭ等を含んでもよい。
【００１７】
タッチパネル部１０４は、例えば、ディスプレイ等の表示部１０５上に重ねて設けられる透明な操作部であり、ユーザの指の接触位置をＸＹ座標等で検出する。このタッチパネル部１０４を用いて、表示装置１００の各種操作を行う。表示部１０５は、表示装置１００の各種操作のための各種情報を表示する。タッチパネル部１０４と、表示部１０５とは重ねて設けるに限らず、異なる場所に配置されてもよい。すなわち、タッチパネル部１０４の操作検出用の座標軸および座標単位と、表示部１０５の表示用の座標軸および座標単位とが同一であればよい。
【００１８】
センサ部１０６は、表示装置１００の現在の傾き（回転）状態、例えば、後述するように装置本体が縦あるいは横状態であることを検出し、制御部１０２に検知出力する。このセンサ部１０６は、例えばジャイロや加速度センサを用いることができる。
【００１９】
図２は、実施の形態１にかかる表示装置のタッチパネル部の故障の例を示す図である。図２の（ａ）はタッチパネル部１０４の下側が故障した状態、（ｂ）は左側が故障した状態、（ｃ）は上下中央が故障した状態、（ｄ）は上側と下側が故障した状態である。タッチパネル部１０４は、経年劣化や衝撃等により図２に示すように故障状態が生じる。
【００２０】
以下、図２（ａ）に示すタッチパネル部１０４の下側が故障し、タッチが検知できなくなっている場合について説明する。タッチパネル部１０４の故障している箇所（故障領域Ｎ）をタッチしてもタッチは検出されない。
【００２１】
また、タッチパネル部１０４上で故障していない箇所から故障している箇所へ向けて（Ｙ軸方向の上から下へ）スワイプ操作を行ったとき、特定のＹ座標（図中Ａ点）でスワイプが終了する。一方、タッチパネル部１０４が故障していない場合、通常の人間の操作では複数回連続して同じＹ座標でスワイプが終了することはありえない。従って、タッチパネル部１０４のタッチパネル制御プログラムにより、スワイプの開始および終了の座標を監視し、複数回連続して特定のＹ座標でスワイプが終了した場合は、そのＹ座標以降の領Ｎはタッチパネル１０４が故障している故障領域Ｎと検出することができる。
【００２２】
図３は、実施の形態１にかかる表示装置のタッチパネル故障検出処理を示すフローチャートである。制御部１０２のＣＰＵ１０２ａが実行するタッチパネル制御プログラムによる故障検出処理例を説明する。
【００２３】
ＣＰＵ１０２ａは、ユーザがタッチパネル部１０４上で故障していない箇所から故障している箇所へ向けてスワイプ操作を行うことに基づき、故障検出を行う。はじめに、ＣＰＵ１０２ａは、スワイプを検出すると（ステップＳ３０１：Ｙｅｓ）、スワイプ終了座標がタッチパネル部１０４の最大値（Ｙ軸座標の最大値）より小さいか判断する（ステップＳ３０２）。
【００２４】
スワイプ終了座標がタッチパネル部１０４の最大値より小さければ（ステップＳ３０２：Ｙｅｓ）、ＣＰＵ１０２ａは、前回スワイプ終了座標データがあるか判断する（ステップＳ３０３）。前回の故障検出時の座標データがあれば（ステップＳ３０３：Ｙｅｓ）、ＣＰＵ１０２ａは、前回スワイプ終了座標とＹ座標が一致するか判断する（ステップＳ３０４）。
【００２５】
ここで、前回スワイプ終了座標とＹ座標が一致していれば（ステップＳ３０４：Ｙｅｓ）、ＣＰＵ１０２ａは、内部の計数用のカウンタをインクリメントする（ステップＳ３０５）。そして、カウンタがあらかじめ設定した指定回数を超えた場合（ステップＳ３０６：Ｙｅｓ）、タッチ故障領域を検出し（ステップＳ３０７）、以上の処理を終了する。ステップＳ３０７では、スワイプ終了Ｙ座標と表示部１０４の画面下端との間の領域について、タッチパネル部１０４の故障領域Ｎであると判定する。
【００２６】
また、ＣＰＵ１０２ａは、ステップＳ３０１でスワイプ検出していないとき（ステップＳ３０１；Ｎｏ）、ステップＳ３０２でスワイプ終了座標が最大値に達した場合（ステップＳ３０２：Ｎｏ）、ステップＳ３０１の処理に戻る。
【００２７】
また、ＣＰＵ１０２ａは、ステップＳ３０３で前回スワイプ終了座標データがなければ（ステップＳ３０３：Ｎｏ）、今回のスワイプ終了座標データを保存し（ステップＳ３０９）、ステップＳ３０１の処理に戻る。また、ＣＰＵ１０２ａは、ステップＳ３０４で前回スワイプ終了座標とＹ座標が一致しないとき（ステップＳ３０４：Ｎｏ）、カウンタをリセットし（ステップＳ３０８）、ステップＳ３０９の実行後、ステップＳ３０１の処理に戻る。
【００２８】
また、ＣＰＵ１０２ａは、ステップＳ３０６のカウンタが指定回数を超えていない間は（ステップＳ３０６：Ｎｏ）、ステップＳ３０１の処理に戻る。
【００２９】
図３の処理例では、タッチパネル部１０４の下側が故障した場合の検出例を説明したが上側が故障した場合も同様に検出することができる。また、タッチパネル部１０４の左側、あるいは右側が故障した場合は、上記において説明したＹ座標をＸ座標に置き換えることで同様に検出することができる。また、上下中央が故障した場合、ならびに上下両端が故障した場合は上記の検出処理を繰り返すことにより、タッチ故障領域を検出することができる。
【００３０】
以上のようにして、タッチ故障が検出された後、ＣＰＵ１０２ａは、使用者に故障を通知するとともに、タッチが有効な領域（正常領域）での操作が行えるように下記１．２．の制御を行う。
１．タッチパネル部１０４が故障していることを画面に表示する。この際、表示部１０５の画面表示は正常であるため、タッチが検出できない領域を利用した表示も可能である。
２．タッチが有効な領域（正常領域）のみを使用するように画面表示内容を再構築する。
【００３１】
図４は、実施の形態１にかかる表示装置のタッチパネル故障検出時の画面表示例を示す図である。図４の（ａ）は正常時の通常の画面表示例であり、（ｂ）はタッチパネル部故障時の画面表示例である。
【００３２】
図３を用いて説明したように、ＣＰＵ１０２ａは、故障領域Ｎを検出する。このため、ＣＰＵ１０２ａは、図４（ｂ）に示すように、故障領域Ｎを特定して表示部１０５の画面上に故障領域Ｎを示す表示をおこなう。図３（ｂ）の例では、画面上の故障領域Ｎ部分を×印で表示し、またこの故障領域Ｎ全体の画面を反転表示させている。
【００３３】
また、タッチパネル部１０４が故障していることをユーザに通知する表示を行う。図４の例では、「タッチパネル故障を検出したため、表示内容を変更しています。」と、故障領域Ｎ部分で画面表示する。この図４では、正常時（ａ）が縦長表示であったのに対し、タッチパネル部１０４の故障により、表示部１０５での表示は、（ｂ）の例では横長であり、レイアウト（縦横比）が変更になった例を示している。
【００３４】
図５は、実施の形態１にかかる表示装置のタッチパネル故障検出時の画面表示の処理内容を示すフローチャートである。図４に示した画面表示例について、制御部１０２のＣＰＵ１０２ａが実行するタッチパネル制御プログラムによる故障検出処理例を説明する。
【００３５】
はじめに、ＣＰＵ１０２ａは、故障領域Ｎを検出したか判断する（ステップＳ５０１）、図３に示した処理で故障領域Ｎを検出したときには（ステップＳ５０１：Ｙｅｓ）、ＣＰＵ１０２ａは、故障領域Ｎのサイズに応じた通知画面の生成を行う（ステップＳ５０２）。次に、ＣＰＵ１０２ａは、故障領域Ｎへの通知画面を表示し（ステップＳ５０３）、以上の処理を終了する。例えば、図３（ｂ）に示したように、故障領域Ｎがどの部分であるかを画面表示させる。
【００３６】
また、ステップＳ５０１で故障領域Ｎを検出していなければ（ステップＳ５０１：Ｎｏ）、ＣＰＵ１０２ａは、通常の画面表示（図３（ａ））を行い（ステップＳ５０４）、以上の処理を終了する。
【００３７】
以上説明した実施の形態１によれば、タッチパネルの故障検出時に、タッチパネルの故障領域を表示部上で具体的に示すことができるようになる。これにより、タッチパネルの故障時でも正常時と同等の操作が行えるようになり、ユーザ操作の利便性を損ねることがない。具体的には、タッチパネルが故障してもこの故障した表示装置の修理の前準備として、表示装置を操作して、表示装置内に保存されたアプリケーションやコンテンツ等のデータを他の表示装置に引き継ぐ等の作業を遂行できる。
【００３８】
（実施の形態２）
実施の形態２では、タッチパネル部１０４の故障時にレイアウトを維持して画面表示する表示制御例について説明する。タッチパネル部１０４の故障が検出された場合に、タッチが有効な領域のみを使用して本来のレイアウト（縦横比）で画面表示を行う。これにより、タッチパネル部１０４が故障した場合でも、本来のレイアウト内の画像の情報がすべて表示できるようになる。そして、表示装置１００内に保存されたアプリケーションのデータや写真等のコンテンツを他の端末に引き継いだり、ＳＤカード等の外部ストレージにバックアップしたりすることが可能となる。
【００３９】
タッチパネル部１０４が故障した場合、残った有効領域（正常領域）のパターンとしては、タッチ可能な領域の横方向の長さをＸ、縦方向の長さをＹとすると、Ｙ＞＝Ｘの場合（縦方向が長い場合）と、Ｘ＞Ｙ（横方向が長い場合）の２通り考えられる。それぞれの場合に応じて表示画面を回転させることによって、本来表示したい内容、レイアウトを崩さずに表示させることが可能となる。
【００４０】
図６および図７は、実施の形態２にかかる表示装置のタッチパネル部故障時のレイアウトを維持した画面表示例を示す図である。図６（ａ）は、タッチパネル部１０４が正常時における本来のレイアウトにより表示部１０５への画面表示例である。正常時の画面レイアウトが図６（ａ）のように縦長である場合に、タッチ可能な領域のサイズによりどのような表示とするかを示している。図６（ａ）には、例えば、表示部１０５上に表示装置１００の操作を許可するロック解除画面を示す。
【００４１】
図６（ｂ）、（ｃ）は、いずれもタッチパネル部１０４の故障時の表示部１０５の画面表示例である。図６（ｂ）の例では画面の下部が故障領域Ｎであり、図６（ｃ）の例では、画面の左部が故障領域Ｎである。これら図６（ｂ）、（ｃ）の場合、Ｙ＞＝Ｘであるため、正常時の画面レイアウトが縦長であるため、表示画面を回転させずに図６（ａ）と同じ縦表示のまま画面表示させる。
【００４２】
また、図７（ａ）の例では、画面のほぼ半分が故障領域Ｎであり、図７（ｂ）の例では画面の中央部が故障領域Ｎであり、図７（ｃ）の例では、画面の上部と下部が故障領域Ｎである。これら図７（ａ）〜（ｃ）の場合、Ｘ＞Ｎであるため、本来と同じ縦表示のままでは同じレイアウトとならないため、正常時（図６（ａ））に対して画面を回転（９０°）させて画面表示させる。
【００４３】
これら図６、図７に示すように、タッチパネル部１０４上でタッチ可能（正常タッチ可能）な領域のサイズに応じて、表示部１０５の表示を回転させる。これにより、正常時の縦長のレイアウトを保ったまま、タッチ可能な領域に表示を行うことができ、正常時に表示していたすべての内容を表示させることができ、ユーザに大きな違和感を与えることなく、正常時と同様の操作を行うことが可能となる。
【００４４】
図８は、実施の形態２にかかる表示装置のタッチパネル故障検出時のレイアウト維持した表示制御の処理内容を示すフローチャートである。図６および図７に示した画面表示例について、制御部１０２のＣＰＵ１０２ａが実行するタッチパネル制御プログラムによる画面回転の制御例を説明する。
【００４５】
はじめに、ＣＰＵ１０２ａは、タッチパネル部１０４の故障を検出したか判断する（ステップＳ８０１）。例えば、図３に示した処理でタッチパネル部１０４の故障が検出されると（ステップＳ８０１：Ｙｅｓ）、ＣＰＵ１０２ａは、タッチパネル部１０４のタッチ有効領域の大きさを判断する（ステップＳ８０２）。
【００４６】
ステップＳ８０２の判断結果、ＣＰＵ１０２ａは、タッチ有効領域の大きさがＹ＞＝Ｘであれば（ステップＳ８０２：Ｙｅｓ）、表示回転なしで画面表示させる（ステップＳ８０３）。一方、タッチ有効領域の大きさがＸ＞Ｙであれば（ステップＳ８０２：Ｎｏ）、本来の表示画面を９０°回転して画面表示させる（ステップＳ８０４）。また、ステップＳ８０１でタッチ故障検出がなければ（ステップＳ８０１：Ｎｏ）、通常の画面表示とする（ステップＳ８０５）。
【００４７】
以上説明した実施の形態２によれば、実施の形態１同様の効果を有するほか、タッチパネル部の故障時に、タッチパネル部の有効領域に対応した表示部上に本来の画面表示のレイアウトを有して画面表示することができる。この際、故障領域の大きさと本来のレイアウトの縦横比とに基づき、必要に応じて画面表示を回転させることで、本来の画面表示のレイアウトを有して画面表示できるようになる。
【００４８】
（実施の形態３）
実施の形態３では、タッチパネル部１０４の故障時にレイアウトを維持して画面表示する表示制御例であり、さらに、表示装置１００の回転の向きに応じて画面表示する例について説明する。すなわち、表示装置１００の向きをセンサ部１０６（図１参照）で取得し、表示装置１００の向きに応じて表示レイアウトを動的に変更することで、タッチ可能な有効領域の縦横比と表示装置１００の向きに応じて動的にレイアウトを変更する。
【００４９】
図９は、実施の形態３にかかる表示装置のタッチパネル正常時の表示状態を示す図である。図９（ａ）は表示装置１００の向きが０°（縦表示）であり、図９（ｂ）は表示装置１００の向きが９０°（横表示）である。これら縦と横の表示切り替えは、センサ部１０６の角度検出に基づき行われる。
【００５０】
図１０および図１１は、実施の形態３にかかる表示装置のタッチパネル部故障時のレイアウトを維持した画面表示例を示す図である。タッチパネル部１０４に故障領域Ｎが生じ、タッチ可能な有効領域がＹ＞＝Ｘ（縦長）の場合は、図１０に示すように表示画面を回転させずに画面表示を行う。すなわち、図９に示した状態のままで画面を回転させずに表示する。図１０（ａ）は図９（ａ）同様に縦表示とする。図１０（ｂ）は図９（ｂ）同様に横表示とする。
【００５１】
また、タッチ可能な有効領域がＸ＞Ｙ（横長）の場合は、図１１に示すように、表示装置１００の向きに対して９０°回転させて画面表示を行う。図１１（ａ）に示す表示装置１００の向きが０°の場合は、タッチ可能な領域が横長となるため、正常時の横表示（図９（ｂ））の画面レイアウトとする。また、図１１（ｂ）に示す表示装置１００の向きが９０°の場合は、タッチ可能な領域が縦長となるため、正常時の縦表示（図９（ａ）の画面レイアウトとする。
【００５２】
図１２は、実施の形態３にかかる表示装置のタッチパネル故障検出時のレイアウト維持した表示制御の処理内容を示すフローチャートである。図１０および図１１に示した画面表示例について、制御部１０２のＣＰＵ１０２ａが実行するタッチパネル制御プログラムによる表示装置の向きに応じた画面回転の制御例を説明する。
【００５３】
はじめに、ＣＰＵ１０２ａは、タッチパネル部１０４の故障を検出したか判断する（ステップＳ１２０１）。例えば、図３に示した処理でタッチパネル部１０４の故障が検出されると（ステップＳ１２０１：Ｙｅｓ）、ＣＰＵ１０２ａは、タッチパネル部１０４のタッチ有効領域の大きさを判断する（ステップＳ１２０２）。
【００５４】
ステップＳ１２０２の判断結果、タッチ有効領域の大きさがＹ＞＝Ｘであれば（ステップＳ１２０２：Ｙｅｓ）、ＣＰＵ１０２ａは、次に、表示装置１００の向きが０°であるか判断する（ステップＳ１２０３）。表示装置１００の向きが０°（縦）であれば（ステップＳ１２０３：Ｙｅｓ）、表示回転なしで縦表示のレイアウトで画面表示させる（ステップＳ１２０４）。一方、表示装置１００の向きが９０°（横）であれば（ステップＳ１２０３：Ｎｏ）、表示回転させて横表示のレイアウトで画面表示させる（ステップＳ１２０５）。
【００５５】
また、ステップＳ１２０２の判断結果、タッチ有効領域の大きさがＸ＞Ｙであれば（ステップＳ１２０２：Ｎｏ）、ＣＰＵ１０２ａは、次に、表示装置１００の向きが０°であるか判断する（ステップＳ１２０６）。表示装置１００の向きが０°（縦）であれば（ステップＳ１２０６：Ｙｅｓ）、表示回転させ横表示のレイアウトで画面表示させる（ステップＳ１２０７）。一方、表示装置１００の向きが９０°（横）であれば（ステップＳ１２０６：Ｎｏ）、表示回転させずに縦表示のレイアウトで画面表示させる（ステップＳ１２０８）。また、ステップＳ１２０１でタッチ故障検出がなければ（ステップＳ１２０１：Ｎｏ）、通常の画面表示とする（ステップＳ１２０９）。
【００５６】
以上説明したように、実施の形態３によれば、実施の形態１，２同様の効果を有するほか、タッチパネル部の故障時に、タッチパネル部の有効領域に対応した表示部上に本来の画面表示のレイアウトを有して画面表示することができる。この際、表示装置の向きに応じて表示画面を適切に回転させることで、表示装置がどのような向きであっても常にタッチパネル故障前の元のレイアウト（縦横比）を有して表示できるようになる。
【００５７】
以上説明した実施の形態の表示装置は、対象機器としてスマートフォンに限らずタブレット等の他の携帯端末装置にも同様に適用できる。また、表示部上にタッチパネル操作部を重ねて設けられる表示機器以外にも適用することができる。
【００５８】
なお、本実施の形態で説明したタッチパネルの故障検出や画面制御の方法は、予め用意された制御プログラムを対象機器（上記表示装置等）等のコンピュータで実行することにより実現することができる。本制御プログラムは、磁気ディスク、光ディスク、ＵＳＢ（Ｕｎｉｖｅｒｓａｌ  Ｓｅｒｉａｌ  Ｂｕｓ）フラッシュメモリなどのコンピュータで読み取り可能な記録媒体に記録され、コンピュータによって記録媒体から読み出されることによって実行される。また、制御プログラムは、インターネット等のネットワークを介して配布してもよい。
【００５９】
上述した実施の形態に関し、さらに以下の付記を開示する。
【００６０】
（付記１）表示部と、タッチパネルとを有する表示装置において、
前記タッチパネルの故障時に、当該タッチパネルの故障領域を検出し、前記表示部の表示画面上に、使用可能な正常領域と区分けして前記タッチパネルの故障領域の大きさを表示する制御部を有することを特徴とする表示装置。
【００６１】
（付記２）前記制御部は、検出した前記タッチパネルの故障領域の縦横比に基づき、前記正常領域を縦表示として使用するか横表示として使用するかを判断することを特徴とする付記１に記載の表示装置。
【００６２】
（付記３）前記制御部は、前記タッチパネルが有する縦横比と、前記タッチパネルの故障領域の縦横比に基づき、前記縦表示または前記横表示するために前記表示部の表示画面を回転させるか否かを判断することを特徴とする付記２に記載の表示装置。
【００６３】
（付記４）前記表示装置の現在の回転位置を検出するセンサを備え、
前記制御部は、前記センサが検出した現在の回転位置と、前記タッチパネルが有する縦横比と、前記タッチパネルの故障領域の縦横比に基づき、前記縦表示または前記横表示するために前記表示部の表示画面を回転させるか否かを判断することを特徴とする付記２に記載の表示装置。
【００６４】
（付記５）前記表示部に重ねて透明な前記タッチパネルを設けたことを特徴とする付記１〜４のいずれか一つに記載の表示装置。
【００６５】
（付記６）コンピュータに、
タッチパネルの故障時に、当該タッチパネルの故障領域を検出し、
表示部の表示画面上に、使用可能な正常領域と区分けして前記タッチパネルの故障領域の大きさを表示する、
処理を実行させることを特徴とする制御プログラム。
【符号の説明】
【００６６】
１００  表示装置
１０１  無線通信部
１０２  制御部
１０２ａ  ＣＰＵ
１０３  情報記憶部
１０３ａ  ＲＡＭ
１０３ｂ  ＲＯＭ
１０４  タッチパネル部
１０５  表示部
１０６  センサ部
【図１】
2017162418.tif 000003
【図２】
2017162418.tif 000004
【図３】
2017162418.tif 000005
【図４】
2017162418.tif 000006
【図５】
2017162418.tif 000007
【図６】
2017162418.tif 000008
【図７】
2017162418.tif 000009
【図８】
2017162418.tif 000010
【図９】
2017162418.tif 000011
【図１０】
2017162418.tif 000012
【図１１】
2017162418.tif 000013
【図１２】
2017162418.tif 000014